(57)【要約】【課題】  水洗大便器やキャビネット本来の機能性を損なうことなく、床面積の狭いトイレにも設置することができるトイレユニットを提供する。【解決手段】  本発明のトイレユニット（１）は、水道直結式の水洗大便器本体（２）と、この水洗大便器本体後部に回動可能に取付けられた便座（４）と、この便座を覆うように回動可能に取付けられた便蓋（６）と、水洗大便器本体の後部上方に設けられた局部洗浄装置（８）と、この局部洗浄装置の少なくとも一部を収納するキャビネット（１０）と、を有する。便蓋は、その回動軸線がキャビネットの前面よりも２乃至１００ｍｍ前方に位置し、便蓋を開いて自立させたとき、便蓋の全長の１／３以上がキャビネットの上端よりも上に突出するように構成されている。【選択図】      図１
2005120639.tif 000002
【特許請求の範囲】
【請求項１】
水道直結式の水洗大便器本体と、
この水洗大便器本体後部に回動可能に取付けられた便座と、
この便座を覆うように回動可能に取付けられた便蓋と、
上記水洗大便器本体の後部上方に設けられた局部洗浄装置と、
この局部洗浄装置の少なくとも一部を収納するキャビネットと、を有し、
上記便蓋の回動軸線が上記キャビネットの前面よりも２乃至１００ｍｍ前方に位置し、上記便蓋を開いて自立させたとき、便蓋の全長の１／３以上が上記キャビネットの上端よりも上に突出することを特徴とするトイレユニット。
【請求項２】
上記局部洗浄装置が、断面積が縮小する段部を備えたケースカバーを有し、上記キャビネットの前面の前板には上記ケースカバーの断面積が縮小した部分を受け入れる切取り部が形成され、この切取り部の縁の少なくとも一部が上記段部の断面積が大きい部分の背面に隠れる請求項１記載のトイレユニット。
【請求項３】
上記局部洗浄装置が、ほぼ鉛直方向に立ち上がった鍔部を設けた、上記局部洗浄装置を覆うケースカバーを有し、上記キャビネットの前面の前板には上記ケースカバーを受け入れる切取り部が形成され、この切取り部の縁の少なくとも一部が上記鍔部の背面に隠れる請求項１記載のトイレユニット。
【請求項４】
上記キャビネットの天板の前縁が面取りされ、又は、Ｒがつけられている請求項１記載のトイレユニット。
【請求項５】
上記キャビネットは、その上記水洗大便器本体の後部上方の空間に物品の収納が可能である請求項１記載のトイレユニット。
【請求項６】
さらに、上記キャビネットの側方の壁に設けられた上記キャビネットと略同一の高さの手洗いカウンターを有し、上記キャビネットの床面からの高さが６５０乃至７５０ｍｍである請求項１記載のトイレユニット。
【請求項７】
上記キャビネットは、その奥行きが、上記水洗大便器本体後部以外の部分において大きくなっている請求項１記載のトイレユニット。
【発明の詳細な説明】
【技術分野】
【０００１】
本発明は、トイレユニットに係り、特に、水洗大便器本体後部にキャビネットが設けられたトイレユニットに関する。
【背景技術】
【０００２】
特開２０００−５４４６５号公報（特許文献１）及び特開平１０−１５９１４９号公報（特許文献２）には、水洗大便器の後方にトイレ用品等の物品を収納するためのキャビネットを備えたトイレユニットが記載されている。これらのキャビネットを備えたトイレユニットでは、水洗大便器後方の洗浄水タンクや排水配管等をキャビネットで覆い隠すことができるので外観上好ましく、また、高級感があるため、近年、特に需要が高まっている。
【０００３】
【特許文献１】特開２０００−５４４６５号公報
【特許文献２】特開平１０−１５９１４９号公報
【発明の開示】
【発明が解決しようとする課題】
【０００４】
しかしながら、このようなキャビネットを備えたトイレユニットは、その設置に大きなスペースを必要とするので、床面積の大きなトイレでなければ設置できないという問題がある。この問題は、水洗大便器本体の後部に局部洗浄装置を備えている局部洗浄装置付きの水洗大便器では、水洗大便器全体の奥行きが大きくなるため、特に顕著になる。
【０００５】
ここで、水洗大便器全体の奥行きを小さくする方法として、その奥行きの大部分を占める便鉢部の奥行きを小さくすることも考えられるが、これは、十分な着座面積の確保、汚物を受けるために十分な大きさの確保、便鉢の洗浄性能等、水洗大便器の基本的な機能を損なうので好ましくない。また、水洗大便器本体後部の局部洗浄装置をキャビネット内に納めてしまうことでトイレユニット全体の奥行きをある程度縮小することは可能である。しかし、局部洗浄装置と便鉢部の間にある便座及び便蓋の回転中心軸のすぐ後ろにキャビネットの前面が位置するようにキャビネットを設計すると、便蓋を開いたときキャビネットが邪魔になって便蓋が後方側に倒れないので、開いている便蓋が偶発的に前方に倒れ、便蓋が閉まってしまう恐れがあるという問題がある。さらに、キャビネット自体の奥行きを小さくすることも考えられるが、キャビネットの奥行きをあまりに小さくしすぎると、物品を収納するというキャビネット本来の機能が損なわれてしまうという問題がある。
【０００６】
従って、本発明は、水洗大便器やキャビネット本来の機能性を損なうことなく、床面積の狭いトイレにも設置することができるトイレユニットを提供することを目的としている。
【課題を解決するための手段】
【０００７】
この目的を達成するために、本発明のトイレユニットは、水道直結式の水洗大便器本体と、この水洗大便器本体後部に回動可能に取付けられた便座と、この便座を覆うように回動可能に取付けられた便蓋と、水洗大便器本体の後部上方に設けられた局部洗浄装置と、この局部洗浄装置の少なくとも一部を収納するキャビネットと、を有し、便蓋の回動軸線がキャビネットの前面よりも２乃至１００ｍｍ前方に位置し、便蓋を開いて自立させたとき、便蓋の全長の１／３以上がキャビネットの上端よりも上に突出することを特徴としている。
【０００８】
このように構成された本発明においては、便蓋の全長の１／３以上がキャビネットの上端よりも上に突出するようにキャビネットが低く形成されているので、キャビネットが便蓋を開くことの邪魔にならず、このため便蓋の回動軸線をキャビネットの前面に近接して配置することが可能になり、その結果、トイレユニットを小型化することができる。
【０００９】
本発明において、好ましくは、局部洗浄装置が、断面積が縮小する段部を備えたケースカバーを有し、キャビネットの前面の前板にはケースカバーの断面積が縮小した部分を受け入れる切取り部が形成され、この切取り部の縁の少なくとも一部が段部の断面積が大きい部分の背面に隠れる。
このように構成された本発明においては、切取り部の縁がケースカバーの段部によって隠されるので、トイレユニットの外観を良くすることができる。
【００１０】
本発明において、好ましくは、局部洗浄装置が、ほぼ鉛直方向に立ち上がった鍔部を設けた、局部洗浄装置を覆うケースカバーを有し、キャビネットの前面の前板にはケースカバーを受け入れる切取り部が形成され、この切取り部の縁の少なくとも一部が鍔部の背面に隠れる。
このように構成された本発明においては、切取り部の縁がケースカバーの縁部によって隠されるので、トイレユニットの外観を良くすることができる。
【００１１】
本発明において、好ましくは、キャビネットの天板の前縁が面取りされ、又は、Ｒがつけられている。
このように構成された本発明においては、面取り、又は、Ｒをつけることによって、同一の奥行き寸法を有するキャビネットであっても、便蓋を後方により大きく回転させ、倒すことができる。
【００１２】
本発明において、好ましくは、キャビネットは、その水洗大便器本体の後部上方の空間に物品の収納が可能である。
このように構成された本発明においては、トイレ室内の空間を有効に活用することができる。
【００１３】
本発明において、好ましくは、さらに、キャビネットの側方の壁に設けられたキャビネットと略同一の高さの手洗いカウンターを有し、キャビネットの床面からの高さが６５０乃至７５０ｍｍである。
このように構成された本発明においては、手洗いカウンターを、便座に座る人の肘掛けとして利用することができる。
【００１４】
本発明において、好ましくは、キャビネットは、その奥行きが、水洗大便器本体後部以外の部分において大きくなっている。
このように構成された本発明においては、トイレユニット全体の前出寸法を縮小しながら、キャビネットの収納力を向上させることができる。
【発明の効果】
【００１５】
本発明のトイレユニットによれば、水洗大便器やキャビネット本来の機能性を損なうことなく、床面積の狭いトイレにもトイレユニットを設置することができる。
【発明を実施するための最良の形態】
【００１６】
次に、添付図面を参照して、本発明の実施形態を説明する。
まず、図１乃至３を参照して、本発明の第１実施形態のトイレユニットを説明する。図１は本実施形態のトイレユニットの側面図であり、図２は正面図、図３は上面図である。
【００１７】
図１乃至３に示すように、本発明の第１実施形態のトイレユニット１は、水洗大便器本体２と、水洗大便器本体２の便鉢部の周囲に配置される便座４と、便座４を上から覆う便蓋６と、水洗大便器本体２の後部上方に配置された局部洗浄装置８と、この局部洗浄装置８の一部及び水洗大便器本体２の後部を受け入れるキャビネット１０と、を有する。
【００１８】
水洗大便器本体２は、床面Ｆ上に配置され、汚物を排出し、便鉢を洗浄する洗浄水を溜めておくための洗浄水タンクを備えていないタイプの、洗浄水が水道から直接供給される水道直結式の水洗大便器である。本実施形態においては、水洗大便器本体２は、水洗大便器の排水管路（図示せず）が床面Ｆに設けられた排水配管（図示せず）に接続される床上配管タイプの水洗大便器である。しかしながら、排水管路を壁面Ｗに設けられた排水配管（図示せず）に接続する壁配管タイプの水洗大便器本体を使用して本発明を構成することもできる。
【００１９】
便座４は、水洗大便器本体２の便鉢部の周囲に配置されるドーナツ状の形態を有し、その後端部が回転軸線４ａを中心に回動可能に支持されている。便座４の後部は、図１に示すように、斜め上方に折れ曲がっており、その先端部が回転軸線４ａを中心に回動可能に支持されている。本実施形態においては、便座上面前縁の便器上面からの高さは４０ｍｍ、回転軸線４ａから便座４先端までの距離は４４０ｍｍであり、回転軸線４ａは、水洗大便器本体２の上端面から１０５ｍｍ、床面Ｆから４８５ｍｍ上方に位置している。好ましくは、回転軸線４ａの水洗大便器本体２の上端面からの高さは８０乃至１２０ｍｍ、床面からの高さは４３０乃至５００ｍｍである。これは、回転軸線４ａの高さが高すぎると、便座４の屈曲が大きくなり過ぎて便座４の外観が悪くなり、また、低すぎると、後述する局部洗浄装置８に十分なスペースがとれないためである。また、本実施形態においては、回転軸線４ａのキャビネット１０の前面からの距離は、４０ｍｍである。好ましくは回転軸線４ａのキャビネット１０の前面からの距離は２乃至１００ｍｍである。これは、この距離が２ｍｍよりも小さいと、便座を十分に後方に倒すことができずに便座４が偶発的に前方に倒れてしまうことがあるからであり、１００ｍｍよりも大きいと、便座４の全長を縮めたり、便座４の屈曲を大きくしない限りはトイレユニット１全体が大型化してしまうからである。回転軸線４ａの水洗大便器本体２の上端面からの高さが約１００ｍｍの場合、より好ましくは回転軸線４ａのキャビネット１０の前面からの距離は３０乃至９０ｍｍであり、さらに、キャビネット高さを７４０ｍｍまで高くする場合には、最も好ましいのは４０乃至９０ｍｍである。なお、本実施形態においては、ドーナツ状の便座４が使用されているが、便座の前端部が２つに分かれた略Ｕ字形の便座を使用して本発明を構成することもできる。
【００２０】
便蓋６は、便座４の上に、便座４を覆うように配置され、その後端部が回転軸線４ａを中心に回動可能に支持されている。便蓋６は、トイレを使用する際に上方に回動させて開かれる。本実施形態においては、便蓋６が完全に閉じられた位置から便蓋６を約１００゜上方に回動させたとき、便蓋６の重心が回転軸線４ａの真上に位置するようになるので、便蓋６を１００゜以上回動させることにより便蓋６が自立できるようになる。本実施形態では、便蓋６が完全に閉じられた位置から約１０８゜回動する位置まで便蓋６を開くことが可能である。好ましくは、便蓋６は、約９５乃至１０５゜回動した位置でその重心が回転軸線４ａの真上に位置するように構成し、約１０５乃至１１０゜回動した位置まで開くことができるように構成する。また、男性がトイレを小便に使用する場合には、便座４も便蓋６と共に開く必要があるので、同様に、便座４は、約９５乃至１０５゜回動した位置でその重心が回転軸線４ａの真上に位置するように構成し、約１０５乃至１１０゜回動した位置まで開くことができるように構成するのが好ましい。
【００２１】
局部洗浄装置８は、水洗大便器本体２の後部上方に配置されており、その全体がケースカバー８ａで覆われている。ケースカバー８ａは、水洗大便器本体２の上方後端部から回転軸線４ａよりも前方まで、斜め上方に折れ曲がった便座４の下に食い込むように延びている。また、ケースカバー８ａの内部には、用便の済んだ人の局部を洗浄するための洗浄ノズル、ノズル駆動機構、熱交換器、制御装置（以上図示せず）等が格納されている。また、ケースカバー８ａの周囲には、ほぼ鉛直方向に立ち上がった鍔部８ｂが設けられている。
【００２２】
キャビネット１０は、水洗大便器本体２の後方に、局部洗浄装置８の後部及び水洗大便器本体２の後部を受け入れて格納するように配置されている。キャビネット１０は、その上端面を構成する天板１２及び天板蓋１４、及び、その前面を構成する上前板１６、下前板１８及び側部扉２０を、トイレユニット１を設置するトイレの壁面Ｗに固定された枠部材２２及び側枠部材２３に取付けて組立てることによって構成される。上前板１６の下辺には、局部洗浄装置８を受け入れる切取り部が形成されており、上前板１６は、局部洗浄装置８のケースカバー８ａに合わせて切取り部を配置し、ケースカバー８ａの鍔部８ｂの背面側に当接させることによりを位置決めされる。また、天板１２の中央部には長方形の穴１２ａが設けられ、この穴に天板蓋１４が落とし込まれている。
【００２３】
本実施形態においては、上前板１６は、トイレユニット１を設置するトイレの後ろ側の壁面Ｗから約１９５ｍｍの位置に上前板１６の前面が位置するように位置決めされている。好ましくは、後ろ側の壁面Ｗから１５０乃至３００ｍｍの位置に上前板１６の前面が位置するように、上前板１６を位置決めする。これは、キャビネット１０の奥行きが１５０ｍｍよりも小さいと、キャビネットの収納力がなくなって、通常キャビネットの中に収納されるトイレットペーパーや掃除ブラシ等が収納できなくなり、３００ｍｍよりも大きいと、トイレユニット１全体が大型化すると共に、キャビネット１０の視覚的なバランスが悪くなるからである。より好ましくは、後ろ側の壁面Ｗから１８０乃至３００ｍｍの位置に上前板１６の前面が位置するように、上前板１６を位置決めする。キャビネット１０の奥行きを１８０ｍｍよりも大きくすることで、汚物入れやトイレ掃除用使い捨て雑巾等も収納可能になるからである。また、本実施形態においては、天板１２は、床面Ｆから約７００ｍｍの位置に天板１２の上面が位置するように位置決めされている。好ましくは、床面Ｆから約６５０乃至７４０ｍｍの位置に天板１２の上面が位置するように天板１２を位置決めする。これは、局部洗浄装置８の上面の高さが約５００ｍｍであり、キャビネット１０の高さを６５０ｍｍよりも大きくすることで、キャビネット１０の水洗大便器本体２後部上方の空間にもトイレットペーパー等の物品を収納することが可能となるからである。また、キャビネット１０の高さを７４０ｍｍよりも小さくすることで、開いた便座４及び便蓋６の１／３以上がキャビネット１０の上端から上方に突出するので、回転軸線４ａをキャビネット１０の前面の近くに配置しても便座４及び便蓋６を十分な角度回動させることができ、便座４及び便蓋６が偶発的に閉じるのを防止することができるからである。また、好ましくは、図１に示すように、天板１２の前縁には面取り１２ｂを施し、或いはＲを付けて形成する。
本実施形態においては、上記の構成を採ることにより、水洗便器本体２及び便座４に十分な大きさを確保しながら、水洗便器本体２後方の壁面Ｗから便蓋６の先端までの前出寸法を約６８０ｍｍまで小型化している。
【００２４】
次に、図４乃至９を参照して、本発明の実施形態のトイレユニット１の設置方法を説明する。まず、図４に示すように、キャビネット１０の枠部材２２を、トイレの背面側の壁面Ｗに木ネジ（図示せず）等で固定する。次に、図５に示すように、水洗大便器本体２を、その排水管路（図示せず）が床面に設けられた排水配管Ｄに接続されるように、所定の位置に設置する。次いで、図６に示すように、枠部材２２の前方に突出したアーム部２２ａと、上前板１６の後方に設けられた棚板１６ａから下方に延びる板部材１６ｂとをネジ止めして、上前板１６を枠部材２２に固定する。このとき、上前板１６に設けられた切取り部１６ｃが局部洗浄装置８のケースカバー８ａを受け入れ、上前板１６の前面がケースカバー８ａの鍔部８ｂと当接するように、上前板１６の取付け位置を調整する。また、切取り部１６ｃはケースカバー８ａよりも大きく形成されているので、水洗大便器本体２の取付位置等に誤差があっても切取り部１６ｃはケースカバー８ａを受け入れることができる。さらに、鍔部８ｂは、切取り部１６ｃよりも大きく形成されているので、切取り部１６ｃの縁は鍔部８ｂの後ろに隠れて外からは見えなくなる。さらに、上前板１６の下側に、２枚の下前板１８を金具２４を介して夫々固定する。また、下前板１８の下端をＬ字形金具２６を介して床面Ｆに夫々固定する。このとき、下前板１８の水洗大便器本体２側の辺が、水洗大便器本体２に当接するように、下前板１８の固定位置を調整する。なお、鍔部８ｂは、ケースカバー８ａとは別体で製作した後、ケースカバー８ａに接合する形態としても良い。
【００２５】
次に、図７に示すように、側枠部材２３を、トイレの側方の壁Ｗに夫々Ｌ字形金具２７を介して夫々固定する。さらに、図８に示すように、２枚の側部扉２０を、蝶番２８を介して側枠部材２３に夫々取付ける。このとき、側部扉２０は、上前板１６及び下前板１８の前面側に重なり合うように取付けられるので、この重なりしろが変化することにより、水洗大便器本体２の取付位置等の誤差を吸収することができる。なお、側部扉２０の一辺を切断して側部扉２０の幅寸法を調整することで対応すれば、側部扉２０の開口寸法を広くすることができ好適である。また、側部扉２０は蝶番２８によって開閉自在であるため、側部扉２０の後ろの空間を収納スペースとして活用することができる。最後に、トイレの側方の壁Ｗの間隔及び組み上げられたキャビネット１０の奥行きに合わせて天板１２の寸法を調整し、図９に示すように、天板１２を枠部材２２及び側枠部材２３の上に固定してキャビネットを完成させる。天板１２に設けられた穴１２ａには、天板蓋１４が着脱自在に落とし込まれており、天板１２と棚板１６ａの間の空間を、収納スペースとして活用することができる。
【００２６】
本発明の第１実施形態のトイレユニット１によれば、便蓋６を開いて使用する際、便蓋６が完全に開かれると便蓋６の重心が回転軸線４ａを越えて水洗大便器本体の背面側に倒れるので、一旦開いた便蓋６は、偶発的に前方に倒れて閉まることがない。また、本実施形態のトイレユニット１によれば、男性が小用をする際に便座４及び便蓋６を完全に開くと、便座４は便蓋６の中に収まり、便座４の重心が回転軸線４ａを越えて水洗大便器本体の背面側に倒れるので、一旦開いた便座４及び便蓋６は、偶発的に前方に倒れて閉まることがない。さらに、本実施形態のトイレユニット１によれば、キャビネット１０の天板１２の前縁に面取り１２ｂが施されているので、便蓋６が天板１２にぶつかることなく、便蓋６をより後方まで倒すことが可能になる。
【００２７】
次に、図１０を参照して、本発明の第２実施形態のトイレユニットを説明する。図１０（ａ）は本発明の第２実施形態のトイレユニットの上面図であり、（ｂ）は正面図である。第２実施形態のトイレユニットは、局部洗浄装置及び水洗大便器本体に断面積が縮小した段部が設けられている点が、第１実施形態とは異なる。従って、ここでは同様の構成要素には同一の参照番号を付し、第１実施形態と異なる点のみを説明する。
【００２８】
図１０に示すように、本発明の第２実施形態のトイレユニット５０は、水洗大便器本体２（図１０には図示せず）と、水洗大便器本体２の便鉢部の周囲に配置される便座４と、便座４を上から覆う便蓋６と、水洗大便器本体２の後部上方に配置された局部洗浄装置８と、この局部洗浄装置８の一部及び水洗大便器本体２の後部を受け入れるキャビネット１０と、を有する。
【００２９】
局部洗浄装置８のケースカバー８ａ及び水洗大便器本体２の後部には、断面積が縮小した段部５２が設けられ、この段部５２にキャビネット１０の前板が受け入れられる。キャビネットの前板５４は、逆Ｕ字形の切取り部５４ａが形成されており、この切取り部５４ａの中に段部５２を受け入れている。切取り部５４ａの寸法は、段部５２の断面積が縮小した部分よりも大きく形成されているので、水洗大便器本体２の設置位置等に誤差がある場合にもそれを吸収することができる。また、切取り部５４ａの寸法は、段部５２よりも前方の断面積が縮小していない部分よりも小さく形成されているので、切取り部５４ａの縁は、水洗大便器本体２及びケースカバー８ａに隠されて見えなくなる。
【００３０】
本発明の第２実施形態のトイレユニット５０によれば、ケースカバー８ａに鍔部を設けることなく、前板５４に形成された切取り部５４ａを隠し、水洗大便器本体２の取付位置等の誤差を吸収することができる。
【００３１】
上述した本発明の第２実施形態では、水洗大便器本体２及びケースカバー８ａに段部５２として凹部を形成して断面積を縮小させていたが、変形例として、図１０（ａ）に二点鎖線で示すように、水洗大便器本体２及びケースカバー８ａの段部の後ろ側全体の断面積を縮小させても良い。
【００３２】
また、別の変形例として、上述した第２実施形態では、水洗大便器本体２及びケースカバー８ａの両方に段部を設け、その段部に一体の前板を挿入していたが、図１０（ｂ）に二点鎖線で示すように、段部はケースカバー８ａのみに設けておき、前板は第１実施形態と同様に上前板と下前板に分割して、下前板を水洗大便器本体２に合わせて位置決めするようにしても良い。
【００３３】
次に、図１１を参照して、本発明の第３実施形態のトイレユニットを説明する。図１１は本発明の第３実施形態のトイレユニットの上面図である。第３実施形態のトイレユニットは、水洗大便器本体の側方の壁Ｗに、キャビネット１０と略同一の高さの手洗いカウンターが設けられている点が、第１実施形態とは異なる。従って、ここでは同様の構成要素には同一の参照番号を付し、第１実施形態と異なる点のみを説明する。
【００３４】
図１１に示すように、本発明の第３実施形態のトイレユニット６０は、水洗大便器本体２（図１１には図示せず）と、水洗大便器本体２の便鉢部の周囲に配置される便座４（図１１には図示せず）と、便座４を上から覆う便蓋６と、水洗大便器本体２の後部上方に配置された局部洗浄装置８と、この局部洗浄装置８の一部及び水洗大便器本体２の後部を受け入れるキャビネット１０と、水洗大便器本体２の側面の壁に設けられた手洗いカウンター６２と、を有する。
【００３５】
手洗いカウンター６２は、キャビネット１０と略同一の高さに形成され、手洗い器６２ａ、トイレットペーパーホルダー（図示せず）、タオル掛け（図示せず）を備えている。本実施形態においては、キャビネット１０及び手洗いカウンター６２の高さは、床面Ｆから約７００ｍｍである。好ましくは、キャビネット１０及び手洗いカウンター６２の高さを床面Ｆから約６５０乃至７５０ｍｍにする。一般的な広さのトイレにおける便座４から手洗いカウンター６２までの横方向の距離、及び、便座４に平均的な体格の大人が座ったときの肩の高さから計算することができるように、手洗いカウンター６２の高さをこの範囲とすると、手洗いカウンター６２を便座４に座った人の肘掛けとして好適に利用することができる。
【００３６】
また、変形例として、図１１に二点鎖線で示すように、キャビネット１０の水洗大便器本体２の後方部以外の範囲の奥行きが大きくなるように、キャビネット１０を構成しても良い。キャビネット１０をこのように構成することで、キャビネットの収納力を確保しながら、トイレユニット全体を小型化することができる。また、この変形例は、本発明の第１、第２実施形態と組合せて実施することもできる。
【００３７】
本発明の第３実施形態のトイレユニットによれば、手洗いカウンター６２がキャビネット１０と同一の高さを有するので、トイレユニットにすっきりした外観を与えることができる。また、水洗大便器本体２の側面にある手洗いカウンター６２の高さは約７００ｍｍであり、手洗いカウンター６２を便座４に座った人の肘掛けとしても利用することができる。
【００３８】
以上、本発明の好ましい実施形態を説明したが、上述した実施形態に種々の変更を加えることができる。
【図面の簡単な説明】
【００３９】
【図１】本発明の第１実施形態のトイレユニットの側面図である。
【図２】本発明の第１実施形態のトイレユニットの正面図である。
【図３】本発明の第１実施形態のトイレユニットの上面図である。
【図４】本発明の第１実施形態のトイレユニットの設置方法を示す斜視図である。
【図５】本発明の第１実施形態のトイレユニットの設置方法を示す側面図である。
【図６】本発明の第１実施形態のトイレユニットの設置方法を示す側面図である。
【図７】本発明の第１実施形態のトイレユニットの設置方法を示す正面図である。
【図８】本発明の第１実施形態のトイレユニットの設置方法を示す正面図である。
【図９】本発明の第１実施形態のトイレユニットの設置方法を示す正面図である。
【図１０】本発明の第２実施形態のトイレユニットの上面図及び正面図である。
【図１１】本発明の第３実施形態のトイレユニットの上面図である。
【符号の説明】
【００４０】
Ｆ      床面
Ｗ      壁面
１      本発明の第１実施形態のトイレユニット
２      水洗大便器本体
４      便座
６      便蓋
８      局部洗浄装置
１０    キャビネット
１２    天板
１４    天板蓋
１６    上前板
１８    下前板
２０    側部扉
２２    枠部材
２３    側枠部材
５０    本発明の第２実施形態のトイレユニット
５２    段部
５４    前板
６０    本発明の第３実施形態のトイレユニット
６２    手洗いカウンタ
【図１】
2005120639.tif 000003
【図２】
2005120639.tif 000004
【図３】
2005120639.tif 000005
【図４】
2005120639.tif 000006
【図５】
2005120639.tif 000007
【図６】
2005120639.tif 000008
【図７】
2005120639.tif 000009
【図８】
2005120639.tif 000010
【図９】
2005120639.tif 000011
【図１０】
2005120639.tif 000012
【図１１】
2005120639.tif 000013